(57)【要約】【課題】ロール紙処理装置、及び、印刷装置において、ロール紙をセットする際に、ロール紙を容易に引き出せるようにする。【解決手段】ロール紙処理装置は、ロール紙Ｐを保持する保持軸３１と、保持軸３１を回転駆動するモーター３０と、開閉可能に設けられたカバー１７と、を備え、カバー１７が閉位置から開位置の方向へ移動する動作に連動して、保持軸３１とモーター３０との間の連結が解除される。【選択図】図３
2019018945.tif 000002
【特許請求の範囲】
【請求項１】
ロール紙を保持する軸と、前記軸を回転駆動するモーターと、開閉可能に設けられたカバーと、を備え、
前記カバーが閉位置から開位置の方向へ移動する動作に連動して、前記軸と前記モーターとの間の連結が解除されることを特徴とするロール紙処理装置。
【請求項２】
前記ロール紙を収容する筐体を有し、
前記筐体は、前記軸を露出させる開口を備え、
前記カバーは、前記開口に開閉可能に設けられ、前記閉位置では前記軸の軸方向において前記開口の少なくとも一部を遮ることを特徴とする請求項１記載のロール紙処理装置。
【請求項３】
前記カバーが前記閉位置にある状態では、前記軸と前記モーターとの間の連結が接続されることを特徴とする請求項１または２記載のロール紙処理装置。
【請求項４】
前記軸と前記モーターとの間の駆動系を構成する部材が移動して、前記軸と前記モーターとの間の連結が解除されることを特徴とする請求項１から３のいずれかに記載のロール紙処理装置。
【請求項５】
前記駆動系はクラッチ機構を備え、前記カバーが前記閉位置から前記開位置の方向へ移動すると、前記軸がその軸方向に移動して前記クラッチ機構が切断状態になることを特徴とする請求項４記載のロール紙処理装置。
【請求項６】
前記クラッチ機構が切断状態となる方向に前記軸を付勢する弾性部材が設けられることを特徴とする請求項５記載のロール紙処理装置。
【請求項７】
前記カバーは、前記閉位置から前記開位置の方向へ移動する際、前記軸方向に移動することを特徴とする請求項６記載のロール紙処理装置。
【請求項８】
前記カバーは、前記閉位置では前記弾性部材に抗して前記軸を押圧することで前記クラッチ機構を接続状態にし、
前記カバーが前記開位置の方向へ移動すると、前記弾性部材によって前記軸が移動させられることを特徴とする請求項６または７に記載のロール紙処理装置。
【請求項９】
前記カバーは、ベアリングを介して前記軸を押圧することを特徴とする請求項８記載のロール紙処理装置。
【請求項１０】
ロール紙を保持する軸と、前記軸を回転駆動するモーターと、開閉可能に設けられたカバーと、前記ロール紙に印刷する印刷部と、を備え、
前記カバーが閉位置から開位置の方向へ移動する動作に連動して、前記軸と前記モーターとの間の連結が解除されることを特徴とする印刷装置。
【発明の詳細な説明】
【技術分野】
【０００１】
本発明は、ロール紙処理装置、及び、印刷装置に関する。
【背景技術】
【０００２】
従来、ロール紙を保持する軸をモーターで回転駆動することでロール紙を送るロール紙処理装置（印刷装置）が知られている（例えば、特許文献１参照）。特許文献１のようなロール紙処理装置では、ユーザーは、ロール紙を手動で引き出すことがある。例えば、ロール紙処理装置を使用可能な状態に準備する際、ユーザーは、ロール紙を手動で引き出して、ロール紙をロール紙処理装置の所定の箇所にセットする。
【先行技術文献】
【特許文献】
【０００３】
【特許文献１】特開２０１５−１２０５８７号公報
【発明の概要】
【発明が解決しようとする課題】
【０００４】
しかしながら、上記従来のロール紙処理装置では、軸に保持されたロール紙を引き出す際、ユーザーは、モーターの回転抵抗に抗してロール紙を引き出すことになり、ロール紙を引き出し難い。特に、大型のロール紙に対応したロール紙処理装置では、モーターとロール紙を保持する軸との間の減速比が大きく設定されるため、ユーザーは、ロール紙を引き出し難くなる。
本発明は、上述した事情に鑑みてなされたものであり、ロール紙処理装置、及び、印刷装置において、ロール紙をセットする際に、ロール紙を容易に引き出せるようにすることを目的とする。
【課題を解決するための手段】
【０００５】
上記目的を達成するために、本発明は、ロール紙を保持する軸と、前記軸を回転駆動するモーターと、開閉可能に設けられたカバーと、を備え、前記カバーが閉位置から開位置の方向へ移動する動作に連動して、前記軸と前記モーターとの間の連結が解除されることを特徴とするロール紙処理装置を提供する。
本発明によれば、ロール紙をセットする際に、カバーを閉位置から開位置の方向へ移動させると、軸とモーターとの間の連結が解除されるため、ロール紙を引き出す際にモーターは抵抗にならない。このため、ロール紙をセットする際にロール紙を容易に引き出すことができる。
【０００６】
また、上記発明において、前記ロール紙を収容する筐体を有し、前記筐体は、前記軸を露出させる開口を備え、前記カバーは、前記開口に開閉可能に設けられ、前記閉位置では前記軸の軸方向において前記開口の少なくとも一部を遮る構成としてもよい。
この構成によれば、カバーを開位置側に移動させなければロール紙を軸に装着できないため、ロール紙を軸に装着する際には、軸とモーターとの間の連結が解除される。このため、ロール紙を容易に引き出すことができる。
また、上記発明において、前記カバーが前記閉位置にある状態では、前記軸と前記モーターとの間の連結が接続される構成としてもよい。
この構成によれば、カバーが閉位置にある状態では、モーターによって軸を回転駆動してロール紙を回転させることができる。
【０００７】
また、上記発明において、前記軸と前記モーターとの間の駆動系を構成する部材が移動して、前記軸と前記モーターとの間の連結が解除される構成としてもよい。
この構成によれば、駆動系を構成する部材を移動させる簡単な構造で、軸とモーターとの間の連結状態を変更できる。
さらに、上記発明において、前記駆動系はクラッチ機構を備え、前記カバーが前記閉位置から前記開位置の方向へ移動すると、前記軸がその軸方向に移動して前記クラッチ機構が切断状態になる構成としてもよい。
この構成によれば、カバーの移動に連動する軸の移動を利用してクラッチ機構を切断状態にでき、簡単な構造で軸とモーターとの間の連結状態を変更できる。
【０００８】
また、上記発明において、前記クラッチ機構が切断状態となる方向に前記軸を付勢する弾性部材が設けられる構成としてもよい。
この構成によれば、弾性部材によって軸を移動させてクラッチ機構を切断状態にできる。
また、上記発明において、前記カバーは、前記閉位置から前記開位置の方向へ移動する際、前記軸方向に移動する構成としてもよい。
この構成によれば、カバーの閉位置から開位置の方向に連動させて、軸を軸方向に移動させ易い。
【０００９】
また、上記発明において、前記カバーは、前記閉位置では前記弾性部材に抗して前記軸を押圧することで前記クラッチ機構を接続状態にし、前記カバーが前記開位置の方向へ移動すると、前記弾性部材によって前記軸が移動させられる構成としてもよい。
この構成によれば、カバーが閉位置にある状態では、モーターによって軸を回転駆動してロール紙を回転させることができる。また、カバーが開位置にある状態では、弾性部材の付勢力によって軸を移動させてクラッチ機構を切断状態にできる。
また、上記発明において、前記カバーは、ベアリングを介して前記軸を押圧する構成としてもよい。
この構成によれば、カバーが閉位置にある状態において、カバーと軸との間の摩擦を低減でき、モーターによって軸を効率良く回転させることができる。また、カバー側に設けられるベアリングにより軸のカバー側の端部が支持されるため、装着されるロール紙による軸の歪みが生じにくい。
【００１０】
また、本発明は、ロール紙を保持する軸と、前記軸を回転駆動するモーターと、開閉可能に設けられたカバーと、前記ロール紙に印刷する印刷部と、を備え、前記カバーが閉位置から開位置の方向へ移動する動作に連動して、前記軸と前記モーターとの間の連結が解除されることを特徴とする印刷装置を提供する。
本発明によれば、ロール紙をセットする際に、カバーを閉位置から開位置の方向へ移動させると、軸とモーターとの間の連結が解除されるため、ロール紙を引き出す際にモーターは抵抗にならない。このため、ロール紙をセットする際にロール紙を容易に引き出すことができる。
【図面の簡単な説明】
【００１１】
【図１】実施形態に係る印刷装置の外観斜視図。
【図２】印刷装置の要部の構成図。
【図３】ロール紙装填部の構造を上方側から見た平面図。
【図４】図３の状態からカバーを開いた状態を示す図。
【発明を実施するための形態】
【００１２】
以下、図面を参照して本発明の実施形態について説明する。
【００１３】
図１は、実施形態に係る印刷装置１０の外観斜視図である。図２は、印刷装置１０の要部の構成図である。
【００１４】
印刷装置１０（ロール紙処理装置）は、パソコン及び携帯端末などの情報処理装置から送信される印刷データに基づいて、印刷媒体としてのロール紙Ｐに、画像を印刷する。
【００１５】
印刷装置１０は、略直方体状の筐体１１を備える。
【００１６】
筐体１１の前後方向における前面には、ディスプレイや操作ボタン等が配置された操作パネル１２が設けられる。また、筐体１１の前面には、印刷装置１０の幅方向に長い用紙排出口１３が形成される。印刷されたロール紙Ｐは、用紙排出口１３から前方に排出される。
【００１７】
筐体１１の前後方向と交差する幅方向における一方側には、ロール紙Ｐを収容するロール紙収容部１４が設けられる。
【００１８】
さらに、筐体１１は、ロール紙収容部１４の鉛直方向上方に、装置内部を覆う外装カバー１５を備える。外装カバー１５は、印刷装置１０の奥行き方向に延びるヒンジ１５ａを中心に回動する。ユーザーは外装カバー１５を回動させて、ロール紙収容部１４を開放させることができる。
【００１９】
ロール紙収容部１４は、ロール紙Ｐを収容する収容空間１６と、筐体１１の一側面１１ａに形成され、収容空間１６を筐体１１の外側方に開放する開口１６ａと、開口１６ａを覆うことが可能な板状のカバー１７とを備える。
【００２０】
カバー１７は、開口１６ａの形状に合わせて略矩形であり、前縁１７ａ、後縁１７ｂ、上縁１７ｃ及び下縁１７ｄを備える。このカバー１７は、後述の閉位置にある状態において開口１６ａの全体を覆う。すなわち、開口１６ａは、カバー１７と略同一形状の略矩形である。
【００２１】
カバー１７は、後縁１７ｂ側に設けられたヒンジ部１８によって筐体１１側に支持され、ヒンジ部１８を中心に回動可能である。詳細には、カバー１７は、印刷装置１０の上下方向に延びるヒンジ部１８の回動軸線１８ａを中心に回動することで開閉される。図１では、カバー１７は閉じられた状態であり、開口１６ａはカバー１７によって覆われる。
【００２２】
カバー１７の前縁１７ａ側には、ユーザーが把持可能な把持部１９が設けられる。
【００２３】
図２に示すように、印刷装置１０は、ロール紙Ｐが装填されるロール紙装填部２０と、ロール紙装填部２０から送られるロール紙Ｐをガイドするガイドユニット２１と、ガイドユニット２１とロール紙装填部２０との間に設けられるテンショナー２２とを備える。
【００２４】
また、印刷装置１０は、ロール紙Ｐが送られる送り経路において、印刷部２３と、印刷部２３とガイドユニット２１との間に設けられる送り部２４と、用紙排出口１３と印刷部２３との間に設けられる用紙切断部２５とを備える。さらに、印刷装置１０は、ロール紙装填部２０及び印刷部２３等の印刷装置１０の各部を制御する制御部（不図示）を備える。
【００２５】
すなわち、印刷装置１０では、ロール紙Ｐの送り経路の上流側から順に、ロール紙装填部２０、テンショナー２２、ガイドユニット２１、送り部２４、印刷部２３、用紙切断部２５、及び、用紙排出口１３が設けられる。
【００２６】
ロール紙装填部２０は、ロール紙Ｐを支持するとともに、後述するモーター３０の動力によってロール紙Ｐを回転させる。
【００２７】
テンショナー２２はロール紙Ｐに接触して一定の張力を付与し、これによりロール紙Ｐに作用する張力が調整される。テンショナー２２及びガイドユニット２１は、ロール紙装填部２０の上方に配置される。
【００２８】
送り部２４は、従動ローラーとの間でロール紙Ｐを挟持した状態で回転してロール紙Ｐを送る送りローラー２４ａと、歯車列等を介して送りローラー２４ａを回転駆動する送りモーター２４ｂとを備える。
【００２９】
印刷部２３は、複数のインクジェットヘッドで構成されたライン型の印刷ヘッドを、複数色分備える。印刷部２３は、ロール紙装填部２０の前方に位置する。印刷部２３は、ロール紙装填部２０から繰り出されて送られてくるロール紙Ｐに対し、カラー印刷を行う。
【００３０】
ロール紙装填部２０から上方に引き出されたロール紙Ｐは、テンショナー２２との接触部で屈曲して前方に送られ、印刷部２３で印刷され、用紙排出口１３から前方へ排出される。
【００３１】
図３は、ロール紙装填部２０の構造を上方側から見た平面図である。
【００３２】
図２及び図３に示すように、ロール紙装填部２０は、ロール紙Ｐを保持する保持軸３１（軸）と、保持軸３１を回転自在に支持する支軸３２と、保持軸３１を回転駆動するモーター３０と、モーター３０の駆動力を保持軸３１に伝達する駆動系３３とを備える。
【００３３】
また、ロール紙装填部２０は、保持軸３１を支軸３２の軸方向に付勢する弾性部材３４を備える。
【００３４】
ロール紙Ｐは、円筒状のコア部Ｐ１と、コア部Ｐ１にロール状に巻かれたロール体Ｐ２とを備える。ロール紙装填部２０の保持軸３１は、ロール紙Ｐのコア部Ｐ１の内周部に嵌合することで、ロール紙Ｐを支持する。
【００３５】
印刷装置１０が印刷を行う時に、制御部は、ロール紙Ｐが印刷部２３側へ送られる方向に送りローラー２４ａを駆動すると共に、モーター３０を制御して保持軸３１を駆動する。このとき、保持軸３１の回転により、ロール体Ｐ２は図２に示される繰出し方向Ｒ１に回転され、ロール紙Ｐが繰り出される。
【００３６】
このように、ロール紙Ｐを繰り出す際に、送りローラー２４ａに加えて、保持軸３１を回転駆動することで、ロール紙Ｐが大径で重量が大きい場合であっても、ロール紙Ｐを破断させずに繰り出すことができる。
【００３７】
また、印刷装置１０がロール紙Ｐを巻き取る時に、制御部は、ロール紙Ｐがガイドユニット２１側へ送られる方向に送りローラー２４ａを駆動すると共に、モーター３０を制御して保持軸３１を駆動する。このとき、保持軸３１の回転により、ロール紙Ｐは図２に示される巻き取り方向Ｒ２に回転され、ロール紙Ｐが巻き取られる。印刷装置１０は、例えば、前回の印刷終了時に用紙切断部２５によって切断されたロール紙Ｐの先端を、印刷部２３の上流側まで引き戻す際などに、ロール紙Ｐを巻き取る。
【００３８】
ロール紙装填部２０の保持軸３１は、収容空間１６に配置され、収容空間１６内で支軸３２を中心に回転することでロール紙Ｐを繰り出す。
【００３９】
図３では、カバー１７は、収容空間１６の開口１６ａを閉じる「閉位置」にある。カバー１７は、「閉位置」の状態では、その板面が保持軸３１の軸方向に略直交する向きに延在する。ユーザーが保持軸３１にロール紙Ｐを着脱する際には、ロール紙Ｐは、保持軸３１に対して保持軸３１の軸方向に抜き差しされる。
【００４０】
図２に示すように、開口１６ａ及びカバー１７は、保持軸３１の軸方向視では、印刷装置１０で使用される最大径のロール紙Ｐの外径よりも大きく、ロール紙Ｐの軸方向の側面の全体を覆う。「閉位置」では、保持軸３１の軸方向において、カバー１７が開口１６ａを遮るため、ユーザーは、開口１６ａを介して収容空間１６に最大径のロール紙Ｐを出し入れすることはできない。
【００４１】
図４は、図３の状態からカバー１７を開いた状態を示す図である。
【００４２】
図４では、保持軸３１に対してユーザーがロール紙Ｐを着脱可能な位置までカバー１７が開かれた「開状態」が仮想線で示されている。
【００４３】
図４に示すように、カバー１７が「開状態」になることで、開口１６ａから保持軸３１及び保持軸３１に装着されたロール紙Ｐが外側に露出し、ロール紙Ｐが開口１６ａを介して保持軸３１に対し着脱可能となる。
【００４４】
本実施の形態では、カバー１７の開閉の動作に連動して保持軸３１とモーター３０との間の連結が解除されることで、ユーザーがロール紙Ｐを容易に引き出し可能になる。以下この構造について詳細に説明する。
【００４５】
図３及び図４に示すように、ロール紙装填部２０の保持軸３１は、その一端側が駆動系３３に接続され、その他端側がカバー１７側に接続される。
【００４６】
保持軸３１は、円筒状の軸本体部３５と、その軸方向の一端に設けられるフランジ部３６と、その軸方向の他端に設けられる被押圧部３７とを備える。
【００４７】
また、保持軸３１は、軸本体部３５及びフランジ部３６を、保持軸３１の軸方向に貫通する支持孔３８を備える。
【００４８】
さらに、保持軸３１は、弾性部材３４が収納される弾性部材保持部３９をその一端に備える。弾性部材保持部３９は、支持孔３８と略同軸に設けられる穴であり、支持孔３８よりも大径に形成される。
【００４９】
フランジ部３６は、軸本体部３５よりも大径の円板状の部材である。
【００５０】
ロール紙Ｐは、軸本体部３５がコア部Ｐ１に嵌合することで保持軸３１上に支持された状態で、側面がフランジ部３６に突き当たることで、軸方向の所定の位置に配置される。軸本体部３５の他端部には、コア部Ｐ１を軸本体部３５に嵌合させ易いように、他端側に向けて先細る斜面部３５ａが形成される。
【００５１】
被押圧部３７は、軸本体部３５の他端側で支持孔３８を軸方向の外側から覆うように設けられる台座部３７ａと、台座部３７ａの周縁部を軸本体部３５の他端の端面に接続する周壁部３７ｂと、台座部３７ａから保持軸３１の軸方向に突出する突起部３７ｃとを備える。
【００５２】
突起部３７ｃは、支持孔３８と同軸に設けられるとともに、他端側に向けて先細る形状である。周壁部３７ｂには、開口３７ｄが設けられる。
【００５３】
ロール紙装填部２０の支軸３２は、印刷装置１０の筐体１１やフレーム部材（不図示）に固定され、回転不能に設けられる。支軸３２は、その一端側の部分が、筐体１１に片持ちで支持される。
【００５４】
支軸３２は、保持軸３１の支持孔３８を貫通し、保持軸３１を軸支する。保持軸３１は、支軸３２に軸支された状態で回転自在、且つ、軸方向に移動可能に設けられる。
【００５５】
支軸３２の他端部には、保持軸３１の軸方向の移動を規制するストッパー部材４０が設けられる。ストッパー部材４０は、例えば、支軸３２の先端部の環状溝に係合するリング状部材であり、支軸３２に着脱可能に設けられる。ストッパー部材４０は、被押圧部３７の開口３７ｄから外側に露出する。
【００５６】
支軸３２は、保持軸３１の一端部側の位置に、弾性部材３４を受ける受け部４１を備える。受け部４１は、支軸３２から径方向に突出する鍔状の部分である。受け部４１として、例えば、支軸３２に設けられる環状溝に係合するリング状部材があるが、受け部は支軸３２に一体に形成されても良い。
【００５７】
弾性部材３４は、コイルばねである。弾性部材３４は支軸３２上に設けられ、そのコイル部の内周部に支軸３２が挿通される。弾性部材３４は、保持軸３１の弾性部材保持部３９内に収納され、弾性部材保持部３９の底部と受け部４１との間に圧縮された状態で設けられる。弾性部材３４は、保持軸３１をストッパー部材４０側に付勢する。
【００５８】
モーター３０は、上記制御部の制御によって駆動される電動モーターである。
【００５９】
駆動系３３は、支軸３２上に設けられる歯車４５と、歯車４５と保持軸３１との間に設けられるクラッチ機構４６と、モーター３０の出力軸３０ａと歯車４５との間に設けられる中間歯車４７とを備える。
【００６０】
モーター３０の駆動力は、中間歯車４７及び歯車４５によって減速されて保持軸３１に伝達される。このため、保持軸３１の回転トルクを大きくでき、大径のロール紙Ｐを容易に回転させることができる。なお、本実施形態においては、１つの中間歯車４７が出力軸３０ａと歯車４５との間に設けられるが、出力軸３０ａと歯車４５とが直接接続されても良い。また、複数の中間歯車４７が出力軸３０ａと歯車４５との間に設けられても良い。
【００６１】
歯車４５は、支軸３２上で回転自在、且つ、支軸３２の軸方向に移動不能に設けられる。
【００６２】
クラッチ機構４６は、歯車４５に設けられる駆動側クラッチ部材５０と、保持軸３１に設けられる被動側クラッチ部材５１（駆動系を構成する部材）と、クラッチ機構４６に作用する負荷を緩衝する緩衝部材５２とを備える。
【００６３】
駆動側クラッチ部材５０は、支軸３２と略同軸に設けられる円板状のベースプレート５０ａと、ベースプレート５０ａから保持軸３１側へ支軸３２の軸方向に突出する歯部５０ｂとを備える。歯部５０ｂは、ベースプレート５０ａの周方向に間隔をあけて環状の配列で複数形成される。
【００６４】
緩衝部材５２は、歯車４５の側面から支軸３２の軸方向に延びる複数のクラッチ支持軸５２ａと、歯車４５の側面とベースプレート５０ａとの間に設けられる複数のばね５２ｂとを備える。クラッチ支持軸５２ａは、歯車４５の周方向に並べて複数設けられる。
【００６５】
駆動側クラッチ部材５０は、クラッチ支持軸５２ａがベースプレート５０ａに摺動可能に挿通されることで、支軸３２の軸方向に移動可能、且つ、歯車４５に対して相対回転不能に設けられる。
【００６６】
ばね５２ｂは、コイルばねであり、クラッチ支持軸５２ａ上に設けられている。ばね５２ｂは、駆動側クラッチ部材５０に軸方向における駆動系３３側への荷重が作用した場合、軸方向に撓むことで駆動側クラッチ部材５０の軸方向における駆動系３３側への移動を許容する。
【００６７】
被動側クラッチ部材５１は、保持軸３１における軸方向の一端の端面から駆動側クラッチ部材５０側へ軸方向に突出する歯部５１ａを備える。歯部５１ａは、保持軸３１の周方向に間隔をあけて環状の配列で複数形成される。
【００６８】
クラッチ機構４６は、被動側クラッチ部材５１の歯部５１ａが駆動側クラッチ部材５０の歯部５０ｂに係合することで接続状態となる機械式のクラッチ機構である。
【００６９】
カバー１７の内面には、ベアリング５５が設けられている。ベアリング５５は、カバー１７の内面に取り付けられる外輪５５ａと、外輪５５ａに対して相対回転する内輪５５ｂとを備える。
【００７０】
保持軸３１の被押圧部３７の突起部３７ｃは、ベアリング５５の内輪５５ｂの内周部に係合する。
【００７１】
図３に示すように、「閉位置」の状態では、カバー１７は、ベアリング５５を介し、弾性部材３４の付勢力に抗して保持軸３１を軸方向に押圧している。図３では、保持軸３１は、カバー１７によって、距離Ｌだけ駆動側クラッチ部材５０側に押圧されている。この状態では、被動側クラッチ部材５１が駆動側クラッチ部材５０に接続されることで、モーター３０と保持軸３１との連結が接続される。これにより、「閉位置」の状態では、モーター３０の駆動によって保持軸３１が回転され、ロール紙Ｐが繰り出される。
【００７２】
また、「閉位置」の状態では、カバー１７は、ベアリング５５を介して保持軸３１を押圧するため、回転される保持軸３１と、カバー１７との間の摩擦が低減され、ロール紙Ｐがスムーズに繰り出される。
【００７３】
図４に示すように、カバー１７が「閉位置」から「開位置」の方向へ所定量だけ回動（移動）すると、カバー１７による保持軸３１の押圧が解除され、保持軸３１は、弾性部材３４の付勢力によってカバー１７側へ軸方向に移動する。この状態では、被動側クラッチ部材５１が駆動側クラッチ部材５０から離間し、クラッチ機構４６による接続が切断される。これにより、「開位置」の状態では、保持軸３１とモーター３０との間の連結が解除されるため、ユーザーが保持軸３１と共にロール紙Ｐを手動で回転させる際に、モーター３０の回転抵抗による抵抗が低減される。
【００７４】
すなわち、新しいロール紙Ｐを保持軸３１に装填するためにユーザーがカバー１７を開くと、弾性部材３４の付勢力によって、保持軸３１とモーター３０との間の連結が自動で解除される。換言すると、カバー１７が「閉位置」から「閉位置」と「開位置」との間の途中の位置まで開かれると、保持軸３１とモーター３０との間の連結は解除される。
【００７５】
ユーザーは、カバー１７を開いて保持軸３１にロール紙Ｐをセットした後、ロール紙Ｐを手動で少し引き出して、ロール紙Ｐの先端部を送り部２４（図２）にセットする。この際、モーター３０が抵抗にならないため、ユーザーは、ロール紙Ｐを容易に引き出して送り部２４にセットできる。
【００７６】
その後、ユーザーによってカバー１７が閉じられると、クラッチ機構４６が接続状態になる。被動側クラッチ部材５１が駆動側クラッチ部材５０に接続される際、歯部５１ａと歯部５０ｂとが軸方向に当接し、クラッチ機構４６の接続が不完全になることがある。この際に生じる衝撃は、緩衝部材５２によって駆動側クラッチ部材５０が軸方向に移動することで緩和される。
【００７７】
また、上記のようなクラッチ機構４６の不完全な接続状態は、被動側クラッチ部材５１と駆動側クラッチ部材５０とが微小に相対回転することで歯部５１ａと歯部５０ｂとが適正に噛み合うようになり、解消される。
【００７８】
保持軸３１とモーター３０との間は、ワンウェイクラッチではなく、正回転及び逆回転の駆動力の伝達が可能なクラッチ機構４６によって接続されることが好ましい。これによれば、ロール紙Ｐの引き出しが容易な構成であり、かつ、ロール紙Ｐを巻き取り方向Ｒ２にも回転できる構成となる。
【００７９】
以上説明したように、本発明を適用した実施の形態によれば、印刷装置１０は、ロール紙Ｐを保持する保持軸３１と、保持軸３１を回転駆動するモーター３０と、開閉可能に設けられたカバー１７とを備える。印刷装置１０では、カバー１７が「閉位置」から「開位置」の方向へ移動する動作に連動して、保持軸３１とモーター３０との間の連結が解除される。これにより、ロール紙Ｐをセットする際に、カバー１７を「閉位置」から「開位置」の方向へ移動させると、保持軸３１とモーター３０との間の連結が解除されるため、ロール紙Ｐを引き出す際にモーター３０は抵抗にならない。このため、ユーザーは、ロール紙Ｐをセットする際にロール紙Ｐを容易に引き出すことができる。
【００８０】
また、ロール紙Ｐを収容する筐体１１を有し、筐体１１は、保持軸３１を露出させる開口１６ａを備え、カバー１７は、開口１６ａに開閉可能に設けられ、「閉位置」では保持軸３１の軸方向において開口１６ａを遮る。これにより、カバー１７を「開位置」側に移動させなければロール紙Ｐを保持軸３１に装着できないため、ロール紙Ｐを保持軸３１に装着する際には、保持軸３１とモーター３０との間の連結が解除される。このため、ロール紙Ｐを容易に引き出すことができる。
【００８１】
また、カバー１７が「閉位置」にある状態では、保持軸３１とモーター３０との間の連結が接続されるため、モーター３０によって保持軸３１を回転駆動してロール紙Ｐを回転させることができる。
【００８２】
また、保持軸３１とモーター３０との間の駆動系３３を構成する部材である被動側クラッチ部材５１が移動して、保持軸３１とモーター３０との間の連結が解除される。このため、駆動系３３を構成する部材を移動させる簡単な構造で、保持軸３１とモーター３０との間の連結状態を変更できる。
【００８３】
さらに、駆動系３３はクラッチ機構４６を備え、カバー１７が「閉位置」から「開位置」の方向へ移動すると、保持軸３１がその軸方向に移動してクラッチ機構４６が切断状態になる。これにより、カバー１７の移動に連動する保持軸３１の移動を利用してクラッチ機構４６を切断状態にでき、簡単な構造で保持軸３１とモーター３０との間の連結状態を変更できる。
【００８４】
また、クラッチ機構４６が切断状態となる方向に保持軸３１を付勢する弾性部材３４が設けられるため、弾性部材３４によって保持軸３１を移動させてクラッチ機構４６を切断状態にできる。
【００８５】
また、カバー１７は、「閉位置」から「開位置」の方向へ移動する際、保持軸３１の軸方向に移動する。特に、「閉位置」から「開位置」の方向への移動の初期段階では、カバー１７は、保持軸３１の軸方向に移動する。これにより、カバー１７の「閉位置」から「開位置」への移動に連動させて、保持軸３１を軸方向に移動させ易い。
【００８６】
また、カバー１７は、「閉位置」では弾性部材３４に抗して保持軸３１を押圧することでクラッチ機構４６を接続状態にし、カバー１７が「開位置」の方向へ移動すると、弾性部材３４によって保持軸３１が移動させられる。これにより、カバー１７が「閉位置」にある状態では、モーター３０によって保持軸３１を回転駆動してロール紙Ｐを回転させることができる。また、カバー１７が「開位置」にある状態では、弾性部材３４の付勢力によって保持軸３１を移動させてクラッチ機構４６を切断状態にできる。
【００８７】
また、カバー１７が「閉位置」にある状態において、カバー１７と保持軸３１との間の摩擦をベアリング５５によって低減でき、モーター３０によって保持軸３１を効率良く回転させることができる。また、カバー１７に設けられるベアリング５５によって、保持軸３１のカバー１７側の端部が支持されるため、装着されるロール紙Ｐの重量に起因する保持軸３１の歪みが低減される。
【００８８】
なお、上記実施の形態は本発明を適用した一態様を示すものであって、本発明は上記実施の形態に限定されるものではない。
【００８９】
上記実施の形態では、カバー１７は、開口１６ａの全体を覆うものとして説明したが、本発明はこれに限定されるものではない。カバー１７は、収容空間１６へのロール紙Ｐの出し入れを規制できるように開口１６ａの少なくとも一部を覆うものであればよい。
【００９０】
また、上記実施の形態では、カバー１７の開閉に連動してクラッチ機構４６が弾性部材３４の付勢力によって切断される構成を例に挙げて説明したが、本発明はこれに限定されるものではない。例えば、クラッチ機構４６に替えて電磁クラッチを設け、センサー等によって検知したカバー１７の開閉動作に連動して制御部が電磁クラッチを切断及び接続する構成としても良い。
【００９１】
さらに、上記実施の形態においては、クラッチ機構４６により、モーター３０と保持軸３１との連結が解除されるが、駆動系３２に含まれる歯車が離間することで、モーター３０と保持軸３１との連結が解除されても良い。この場合、ユーザーがロール紙Ｐを引き出す際に、各部材の摺動抵抗による抵抗を低減するために、モーター３０と保持軸３１との間の連結が解除された状態で保持軸３１に連動する部材は少ない方が好ましい。
【符号の説明】
【００９２】
１０…印刷装置（ロール紙処理装置）、１１…筐体、１１ａ…一側面、１４…ロール紙収容部、１５ａ…ヒンジ、１６…収容空間、１６ａ…開口、１７…カバー、１７ａ…前縁、１７ｂ…後縁、１８…ヒンジ部、１８ａ…回動軸線、２０…ロール紙装填部、２３…印刷部、３０…モーター、３０ａ…出力軸、３１…保持軸（軸）、３２…支軸、３３…駆動系、３４…弾性部材、３５…軸本体部、３５ａ…斜面部、３６…フランジ部、３７…押圧部、３７ａ…台座部、３７ｂ…周壁部、３７ｃ…突起部、３７ｄ…開口、３８…支持孔、３９…弾性部材保持部、４０…ストッパー部材、４１…受け部、４５…歯車、４６…クラッチ機構、４７…中間歯車、５０…駆動側クラッチ部材、５０ａ…ベースプレート、５０ｂ…歯部、５１…被動側クラッチ部材（駆動系を構成する部材）、５１ａ…歯部、５２…緩衝部材、５２ａ…クラッチ支持軸、５２ｂ…ばね、５５…ベアリング、５５ａ…外輪、５５ｂ…内輪、Ｌ…距離、Ｐ…ロール紙、Ｐ１…コア部、Ｐ２…ロール体。
【図１】
2019018945.tif 000003
【図２】
2019018945.tif 000004
【図３】
2019018945.tif 000005
【図４】
2019018945.tif 000006